(57)【要約】【課題】住宅等の内外部に扉指示枠に開き扉を開閉枢動可能に取り付ける蝶番に同扉の回動トルクを調節可能にして急激な開閉を阻止可能にすること。【解決手段】扉８０に固定の扉側蝶番羽根２２が有する筒形軸受け部２４と、扉支持枠７０に固定の支持枠側蝶番羽根１２に連設した第二の筒形軸受け部１４と、その両筒形軸受け部１４、２４に挿通される蝶番軸３２とを有し、開き扉を枢動軸心回りに開閉自在に支持する蝶番１０における一方の筒形軸受け部２４、蝶番軸３２の両者により形成される相対回動部位に介挿した拡縮性の摩擦抵抗部材である筒型ブッシュ部材６２と、その筒形ブッシュ部材６２の拡縮を手動調節する調節部材であるテーパ状スリーブ６４、調節ねじ６４とからなる回動調節体６０を設けた開き扉用調節蝶番として構成した。【選択図】図４
2007146518.tif 000002
【特許請求の範囲】
【請求項１】
開き扉に結合された扉側蝶番羽根に連設した第一の筒形軸受け部と、扉支持枠に結合された扉側蝶番羽根に連設した第二の筒形軸受け部と、前記第一、第二の筒形軸受け部に挿通される蝶番軸とを有し、開き扉を枢動軸心回りに開閉自在に支持する蝶番において、
前記第一筒形軸受け部、蝶番軸の両者により形成される相対回動部位に介挿した拡縮性の摩擦抵抗部材と、該摩擦抵抗部材の拡縮を手動調節する調節部材とからなる回動調節体を、設けたことを特徴とする開き扉用調節蝶番。
【請求項２】
前記回動調節体の前記拡縮性の摩擦抵抗部材は、前記蝶番軸の軸端近傍の前記第一筒形軸受け部内部に設けられ、径方向に膨張可能なブッシュ部材によって形成され、前記調節部材は、前記蝶番軸の軸端に係合させたネジのネジ頭に一端を当接させ、テ−パ付き外周面を有して前記ブッシュ部材に内装されたスリーブ部材によって形成され、前記蝶番軸に対する前記ネジの螺動進退に応じて前記スリーブ部材が前記ブッシュ部材に対して進退し、該摩擦抵抗部材を径方向に拡縮する構成としたことを特徴とする請求項１に記載の開き扉用調節蝶番。
【請求項３】
前記ブッシュ部材は、筒形の合成樹脂材料からなり、前記スリーブ部材は、金属管材料からなる請求項1又は２に記載の扉用調節蝶番。
【請求項４】
前記扉支持枠と前記開き扉の相互に隔たる少なくとも二位置に設けられる請求項１〜３に記載の扉用調節蝶番。
【発明の詳細な説明】
【技術分野】
【０００１】
本発明は、開き戸ないし扉とその支持枠との間に設けられる枢動用蝶番に関し、特に扉が風に煽られた場合その他、扉の急激な開閉を阻止して安全を図りかつ扉の損傷等も防止し得る開き扉用調節蝶番に関する。
【背景技術】
【０００２】
建物の室外、室内を問わずに人の出入り口や荷物の搬入,搬出口などには従来から当然に扉が設けられており、特に、近時の住宅建物の室内外における出入り口には、扉支持枠に蝶番を介して開き扉を設ける事例が多い。すなわち、玄関扉等も引戸構造より、開き戸構造とした建物がより一般的な傾向を示し、また、建物内部の各種部屋の出入り口にも洋風建築化に伴って多くは開き扉が設けられる。
従って、かかる開き扉には必然的に扉支持枠と、開き扉との間に蝶番が設けられて円滑な開閉扉を可能にしている。
【０００３】
このような開き扉用の蝶番の典型的な一例は、特許文献１に図示のように、例えば、縦軸心回りに開閉作動をする開き戸ないし扉の場合には、少なくとも扉の上下に隔たる二位置とそれに対応した扉支持枠の二位置とにおいて、開き扉と扉支持枠の夫々に固定される羽根、つまり扉側羽根と枠側羽根との両者に形成した筒形のカール部を同軸配置と成るように取着して両者間に合成樹脂製等のカラー部材を挿設して相対回転を許容するようにし、さらに、両カール部に挿通される蝶番軸を設け、このとき蝶番軸が、開き扉の開閉時における枢動中心を形成して同扉を扉支持枠に対して円滑に開閉作動させる構成と成っている。
【０００４】
然しながら、特許文献１に開示された構造に係る開き扉用の蝶番は、扉の取外しや吊り込み作業における作業性の向上を図る手段を備えながらも例えば、一般住宅の室内外、特に室内における出入り口に設ける開き扉とその扉支持枠との間に適用した場合には、例えば、その住宅建物の玄関口や窓が開放されている時に不意に室外から風が室内へ流入したとき、室内出入り口や玄関口に設置した開き扉がその風に煽られて勢い良く閉扉し、そのスピードが速ければ速い程、危険度も伴うことと成り、枢動同回転する扉が人に当ったり、扉と支持枠との隙間に手を挟まれたりする等の不測の不都合事態が発生するという問題がある。
【０００５】
更に、住宅の室内の出入り口に取付けられる開き扉に設ける蝶番の場合には、屋外屋内から建物構造を経て伝達する振動に共振してビビリ音やガタガタ音等の不快な振動騒音を発生することもあると言う問題点も指摘されている。
【０００６】
【特許文献１】実開平７−３８５２８号公開実用新案公報
【発明の開示】
【発明が解決しようとする課題】
【０００７】
本発明は、上述のような問題点を解決しようとするものであり、開き用扉を扉支持枠に対して枢動開閉可能に取着するための蝶番において、外乱作用的に扉に突風等の外部侵入風が吹き付けたような場合に、扉の急激な開閉枢動が発生することを抑制可能にすると同時に、建物構造を介して伝達する振動に対しても蝶番を経て扉の共振による不快なビビリ音やガタガタ音の騒音発生を抑止可能にする手段を備えた開き扉用ないし開き戸用の蝶番を開発、提供することを課題とする。
【０００８】
本発明は、また上述した手段が外部に露出して従来の蝶番構造と異なる外観を呈することのない美観性を保持するように工夫され、かつ製造コストの安価な手段を提供することを課題とするものである。
しかも、本発明は、開き扉の重量や扉面積等の機械的条件や外部からの侵入風の状況等環境条件の変化に応じて扉の急激な開閉枢動の発生への抑止力や雑音発生への抑止力を扉の取付け現場で調節、付与することのできる構成を内蔵した開き扉用の可調節蝶番を提供せんとするものである。
【課題を解決するための手段】
【０００９】
本発明によれば、開き扉に結合された扉側蝶番羽根に連設した第一の筒形軸受け部と、扉支持枠に結合された支持枠側蝶番羽根に連設した第二の筒形軸受け部と、前記第一、第二の筒形軸受け部に挿通される蝶番軸とを有し、開き扉を枢動軸心回りに開閉自在に支持する蝶番において、前記第一筒形軸受け部、蝶番軸の両者により形成される相対回動部位に介挿した拡縮性の摩擦抵抗部材と、該摩擦抵抗部材の拡縮を手動調節する調節部材とからなる回動調節体を、設けた構成からなる開き扉用調節蝶番が提供される。
【００１０】
上述した構成からなる開き扉用調節蝶番は、主として開き扉を扉支持枠に蝶番を介して取付ける際或いは所要に応じて第一筒形軸受け部、蝶番軸の両者により形成される相対回動部位に介挿した拡縮性の摩擦抵抗部材の摩擦抵抗を調節部材によって増減調節し、開き扉に作用する突風等の予測される不意の開閉トルクに応じて急激な開扉や閉扉を阻止可能な摩擦抵抗を奏し得るように設定すれば、急激な開き扉の開閉を阻止して安全性の確保を図り得ると共に外部からの振動伝播に対してダンパー作用を呈してビビリ音やガタガタ音等の雑音発生を阻止できるのである。しかも人が仮にやや乱暴に開閉扉した場合であっても扉がそれに反応して急な開閉枢動を遂行することが無いので、特に一般住宅建物内の開き扉等では、安全性の向上に寄与することと成る。
【００１１】
更に、本発明によれば、好ましくは、上記拡縮性の摩擦抵抗部材は、上記蝶番軸の軸端近傍の設けられ、径方向に膨張可能な筒形のブッシュ部材によって形成され、上記調節部材は、上記蝶番軸の軸端に係合させたネジのネジヘッドに一端を当接させ、テ−パ付き外周面を有して前記ブッシュ部材に内装されたスリーブ部材によって形成され、上記蝶番軸に対する上記ネジの螺動進退に応じて上記スリーブ部材が上記ブッシュ部材に対して進退し、該摩擦抵抗部材を径方向に拡縮する構成とした開き扉用調節蝶番を提供する。
【００１２】
上述した構成によれば、径方向に拡縮可能なブッシュ部材、ネジヘッドを有したネジ、テ−パ面を備えたスリーブ部材からなる三部材によって摩擦抵抗部材と調節部材とを構成するので、簡単に加工、入手が可能であり、各一個の蝶番のコスト増を来すことなく、有用な機能増大を図り得る効果を奏するものであり、かつこれらの筒形ブッシュ部材、ネジ、テーパ外周面を有したスリーブ部材等は蝶番軸の軸端近傍において、第一筒形軸受け部の内部に挿設されるから、扉支持枠や開き扉に特殊な加工や細工を施すことなく設置可能であり、かつ蝶番の基本部材である羽根やその羽根の端部に形成されるカール部からなる筒形軸受け部等に対しても何らの加工を施すことなく、単に蝶番軸端にだけ雌ネジ孔を追加的に形成すれば良く、故に外観的にも既存の蝶番と変わりない点で室内に用いても全く違和感を呈することが無い。
【００１３】
好ましくは、上述の筒形のブッシュ部材は、合成樹脂材料、例えばＰＯＭ（ポリアセタールコーポリマー材料）からなり、前記スリーブ部材は、鉄系、銅系その他の合金系等の金属管材料からなる扉用調節蝶番として構成される。
【００１４】
この種の各材料は市販材料として比較的に安価に入手可能であり、故に回動調節体の摩擦抵抗部材、調節部材を低コストに入手できる。従って、このような低コストの摩擦抵抗部材や調節部材か成る回動調節体を組み込んだ本発明の扉用調節蝶番も従来の蝶番とほぼ等価のコストで製造することが可能であり、利用者に高価格感を抱かせることがない。
【発明の効果】
【００１５】
上述した構成を有した扉用調節蝶番に係る本発明の効果を列記すれば、下記の通りである。
（１）開き扉の開閉枢動に対して適性な摩擦抵抗を付与し、以って扉の開閉トルクを調節できるので、不意に建物外部から流入する突風等によって急激に扉が開閉枢動するのを阻止できるから、急激な扉の開閉による人の予期せぬ怪我等を防止できる。
（２）また、扉が外部からの進入風や外部からの振動伝達に共鳴して振動雑音を発する等の不具合を回避できる。
（３）居住者等が誤って乱暴に開き扉を開閉操作しても、急激な扉の開閉は、阻止できる。
（４）本発明の要部を成す回動調節体は、比較的廉価な素材による単純かつ少数の構造要素から成るので、製造コストの増大などを来たすことなく、安価に上述した諸効果を奏することができる。
（５）また、同回動調節体は、摩擦抵抗トルクの調節を単に調節ねじの回転操作で遂行可能であり、開き扉の取付け現場で簡単に操作できる利便性を有している。
【００１６】
以下、本発明に係る開き扉用調節蝶番を典型的な実施の形態を示す図面を参照しながら説明する。
【発明を実施するための最良の形態】
【００１７】
図１は、本発明の一実施形態に係る開き扉用調節蝶番の構成部材を分割図示した分解図であり、この図１には、発明の要部を成す摩擦調節部材と調節部材との組立体としての回動調節体を二点破線により略示図示してある。そして、図２は、図１における同回動調節体を取り出し詳示した断面図、図３は、回動調節体の摩擦調節部材と調節部材とを分解、分離して示した断面図である。
【００１８】
さて、図１〜図３、特にまず、図１を参照すると、本実施例に係る開き扉用調節蝶番（以下、単に調節蝶番と言う）は、一般住宅等の建物における出入り口に設置される観音開きや片開きの扉を壁や柱等の扉支持枠に対して開閉枢動が可能なように取付けるために使用されるものであり、普通には、例えば扉支持枠に対して縦方向の枢動軸心の周りに開き扉を開閉可能とするように取付けられ、その場合に縦方向に隔たる二位置において調節蝶番を介して安定な開閉枢動が得られるように取付けられることは周知の通りである。勿論、例えば、扉の重量が大きい頑強な開き扉に使用される場合等には所要に応じて三箇所に調節蝶番を介して取り付ける場合もあろう。
【００１９】
図１において、調節蝶番１０を構成する構造要素は、扉支持枠（図示略）に取付ねじによって固定される支持枠側の羽根１２とこの羽根１２の一端側に設けられる筒形の軸受部１４、他方、開き扉（図示略）に取付ねじによって固定される扉側の羽根２２とこの羽根２２の一端側、扉支持枠との対向部位に設けられる筒形の軸受部２４、上記両羽根１２、２２が有する筒形軸受部１４、２４の両者に各上下の軸端部分３３、３４が止まり嵌め状態にないしは非回転状態に装着される蝶番軸３２、この蝶番軸３２が有するフランジ部３５に当接するように配設され、かつ扉支持枠側の羽根１２が有する筒形軸受部１４の上端１５に座して同筒形軸受部１４の上端１５と蝶番軸３２のフランジ部３５との間の隙間に介在するワッシャ部材４０、蝶番軸３２を上記の両筒形軸受部１４、２４の内部において、下方から上方へと調節可能に上動させ、フランジ部３４を介して扉側羽根２２とその扉側の筒形軸受部２４を上方へ変位させ得るように予め筒形軸受部１４の内面の下方部位に形成した雌ねじ部１６に螺設、装着される調節ねじ４４、上記羽根１２、２２に形成した適宜個数の取付け孔（図示例では各４つ）１３、２３を通して扉支持枠や開き扉に上述のように各羽根１２、２２を固定する固定ねじ４６、扉支持枠と開き扉とに対して調節蝶番１０を取付け、固定した後に装着されるスリット付きキャップ５０等を従来の蝶番と同様の基本的な構造要素として具備する点は変わりない。さらに上述した諸構造要素とともに、本発明に係る調節蝶番１０は、開き扉の開閉枢動における枢動動作を不測の突風等の風による回動トルクや乱暴な開閉作動による急激な開閉枢動を抑止するための摩擦調節部材とその摩擦力を調節する調節部材とからなる回動調節体６０を具備している点を特徴とするものである。なお、ここでは、同回動調節体６０を単に略示的に図示して、蝶番に組み込まれている事実のみを示唆しているもので、その詳細な構成、作用、効果は以下に説明するものである。
【００２０】
なお、調節蝶番１０において、上述した扉支持枠側の羽根１２と扉側の羽根２２の夫々に設けられる各筒形軸受部１４、２４は、一般的には、例えば銅、真鍮系や鉄系等の金属材料からなる夫々の羽根１２、２２の端部を筒状に曲げ加工したカール部として形成され、蝶番軸３２も鉄系等の金属材料により形成される。
また、キャップ５０は、主として室内の開き扉の蝶番では、相対動作部への塵埃の付着を防止して円滑な扉開閉を促進し、かつ外観の美化を図るための補助的な被覆要素として設けられ、通常は、合成樹脂材料で形成される。
【００２１】
さて、ここで図２、図３を参照すると、上述した摩擦調節部材とその摩擦力を調節する調節部材とからなる回動調節体６０の具体的な構成例が示されている。
図２は、同回動調節体６０の構成を断面図示しており、図３は、同回動調節体６０を成す摩擦調節部材としての筒形ブッシュ部材６２、摩擦力の調節用の調節部材としてのスリーブ部材６４及び調節ねじ６６をそれぞれ分離、分解して示した断面図である。
【００２２】
この摩擦調節部材としての筒形ブッシュ部材６２、調節部材としてのスリーブ部材６４、調節ねじ６６を具備した回動調節体６０は、調節蝶番１０（図１参照）における扉側の羽根２２が有する筒形軸受部２４の内部に内挿されるもので、これにより開き扉の開閉時に既述した蝶番軸３２（図１参照）の周りに該扉と一緒に羽根２２とその筒形軸受部２４が回動する際に軸、軸受部間の枢動軸周りの相対回動部位に調節された摩擦力を作用させ、以って扉の急な開閉回動を抑止する調節機能装置として設けられるものである。
【００２３】
図２に示す実施形態において、回動調節体６０は、各一個の三つの部材、つまり拡縮性や弾性を有した材料、例えば合成樹脂材料やゴム材料等から成る筒形々状を有する所定長さの中空ブッシュ部材６２、外周面が上から下へ錐状、テーパ状に縮径し、主として硬質材料、例えば鉄系等の金属材料により形成され、上記ブッシュ部材６２の中空部内に先端部位から挿着される所定長さの中空スリーブ部材６４、市販のねじボルトを流用することも可能な金属製の調節ねじ６６を軸方向に相互に組み立ててなり、調節ねじ６６は、そのヘッド部下面がスリーブ部材６４の上端に当接する位置まで同スリーブ部材６４の中空内部を介して挿入され、その先端域が図示のように、ブッシュ部材６２の下端面から充分に下方へ突出しているように組み立てられる。
【００２４】
ここで、図２の組立て状態の回動調節体６０の構成から理解できるように、調節ねじ６６を筒形ブッシュ部材６２に対して相対的に更に下方へ変位させてテーパ状のスリーブ部材６４をブッシュ部材６２の内部へ押し込むようにすれば、スリーブ部材６４がテーパ外周面を有していることから、ブッシュ部材６２をその中空内周面から外向きに拡張させる拡張力が作用し、故にブッシュ部材６２が外方に向けてその径を拡大させる。
なお、回動調節体６０は、調節ねじ６６の先端の突出ねじ部分を、図１に図示した扉側羽根２２における筒形軸受部２４を通して蝶番軸３２（図１参照）の端部に設けた雌ねじ孔に螺合させれば、この筒型軸受部２４の内部に取り付けられ、その後に、調節ねじ６６を適宜に回転させて蝶番軸３２に対して螺合、進退させれば、上述のように、筒形ブッシュ部材６２を拡縮させることができるのである。
【００２５】
また、調節ねじ６６の螺合、回転により拡径させた筒形ブッシュ部材６２に対して同調節ねじ６６を反対方向に螺合、回動させ、テーパ状のスリーブ部材６４共々相対的に上方へ後退させれば、筒形ブッシュ部材６２はその材料特性に基づいて縮径方向へ復帰する。つまり、調節ねじ６６の両方向への回動、調節で上記ブッシュ部材６２の拡縮量を調節することができるのである。
【００２６】
上述した回動調節体６０は、図３にやや縮小図示するように、三つの部材、すなわち、筒形ブッシュ部材６２、テーパ外周面を有したスリーブ部材６４、ヘッド付きねじから成る調節ねじ６６を有してなるが、スリーブ部材６４と、調節ねじ６６とは同一金属材料で加工形成した一体部材として加工、形成しても良い。
また、筒形ブッシュ部材６２は、図示のように、一部を切り欠いた形状や縦スリット状の切込みを形成する等として拡縮特性を増大させて摩擦特性を調整したり、或いは典型的には素材として既述のように、例えばポリアセタール（POM）等の合成樹脂材料を用いて形成されるが、更に合成ゴム材料その他の適当な樹脂材料を選定することにより、拡縮特性を増減設計し、以って後述のように、摩擦抵抗によって開き扉の開閉枢動に対して増減調整された抵抗トルクを作用させるようにするが可能となるのである。
【００２７】
図４は、既述の回動調節体６０が組み込まれた一組の調節蝶番１０が組み立てられた状態を示した正面図である。
同図において、調節蝶番１０の扉支持枠側の羽根１２は支持枠に取付ねじ４６（図１参照）で固定され、他方、開き扉側の羽根２２は、扉の端部に同じく取付ねじ４６で固定され、そのとき、蝶番軸３２が両羽根１２、２２の筒形軸受部１４、２４に挿通されている。
【００２８】
同図４から明らかなように、開き扉に取り付けた扉側の羽根２２の筒形軸受部２４には、回動調節体６０がその調節ねじ６６の突出ねじ部分を蝶番軸３２に螺合、係合させた状態で組み込まれ、このとき、調節ねじ６６を調節回転させてねじ込み量を適宜に加減調節し、テーパ状のスリーブ部材６４を介して筒形ブッシュ部材６２の拡縮量を適正量に調節すれば、開き扉に固定された蝶番１０の扉側の羽根２２は、その筒形軸受部２４によって蝶番軸３２に対して開閉枢動する際の回動摩擦抵抗を増減させることが可能となり、故に開き扉に作用する不測の突風や乱暴な開閉作動による急激な開閉枢動を阻止し、適正な扉の開閉枢動を得ることができるようになる。なお、調節後にキャップ５０（図１参照）が、羽根２２の筒形軸受部２４に被着される。図示の円筒キャップ５０に代えて筒形軸受部２４の上端開口に嵌合する突起を有した円板蓋を被着させても良い。
【００２９】
図５は、扉支持枠７０と一枚の開き扉８０との間における上下に隔たる二位置に調節蝶番１０を配設した例を略示した正面図である。
同図５から明らかなように、上下に隔てて設けた調節蝶番１０は何れも本発明に係る回動調節体６０が組み込まれており、開き扉８０を安定に開閉枢動可能に保持しながら同時に、急激な開閉枢動は、既述した拡縮性の筒形ブッシュ部材６２、テーパ状スリーブ部材６４、調節ねじ６６から成る回動調節体６０を備えることによって阻止される構成となっている。このように、上下二位置に回動調節体６０を組み込めば、開き扉８０の重量や扉面々積の大小に従って、回動慣性や、或いは建物外部からの風の流入条件等の諸条件を勘案して適正な回動摩擦抵抗が扉８０に付与され得るように調節することができる。
なお、開き扉８０の全体的な大きさ等に応じて上下に隔たる三位置に調節蝶番１０を配設するようにしても良い。
【００３０】
また、以上の記載では、開き扉８０のように、開閉枢動軸が縦方向に延在する場合に就いて説明したが、本発明は、横軸心を開閉枢動軸とする開き扉等にも所要に応じて適用可能であり、また、住宅の出入り口の扉に限らず、窓に開閉枢動可能に設けた開き戸等に対しても適用可能であることは、当業者なら容易に理解できよう。
【図面の簡単な説明】
【００３１】
【図１】本発明の一実施形態に係る開き扉用調節蝶番の構成部材を分割図示した分解図、
【図２】図１における摩擦調節部材と調節部材との組立体としての回動調節体を取り出し図示した断面図、
【図３】摩擦調節部材と調節部材とを分解、分離して示した断面図、
【図４】本発明の実施形態に係る調節蝶番の組立て、取付状態における正面図、
【図５】同調節蝶番を扉支持枠に対する二位置で開き扉を取付け、保持する例における正面図。
【符号の説明】
【００３２】
１０：調節蝶番
１２：扉支持枠側の羽根
１４：羽根１４の筒形軸受部
２２：開き扉側の羽根
２４：羽根２２の筒形軸受部
３２：蝶番軸
５０：キャップ
６０：回動調節体
６２：筒形ブッシュ部材
６４：筒形スリーブ部材
６６：調節ねじ
７０：扉支持枠
８０：開き扉
【図１】
2007146518.tif 000003
【図２】
2007146518.tif 000004
【図３】
2007146518.tif 000005
【図４】
2007146518.tif 000006
【図５】
2007146518.tif 000007